(57)【要約】  通信装置１は、伝送信号受信部１０で受信した伝送信号Ｖｓのステートを第１プロトコル解析部１１において解析する。さらに、その解析結果に基づいて伝送制御部１４で通信適合期間と通信不適合期間の判別を行い、通信適合期間と判別したときに、伝送制御部１４が第２プロトコル方式信号送信部１２より第２プロトコルのパケットを信号線Ｌｓに送信させる。その結果、単純にキャリアの状態だけを判断して伝送信号Ｖｓに重畳する従来例に比べて、キャリアの状態変化によって発生するノイズの影響を抑えながら相対的に多くのデータを伝送することができる。その結果、時分割多重伝送システムと信号線Ｌｓを共用しつつデータ伝送の信頼性が向上できる。
2008117722.tif 000002
【特許請求の範囲】
【請求項１】
親機に対して１乃至複数の子機が２線式の信号線によって並列接続され、親機から子機へのデータ伝送と子機から親機へのデータ伝送を第１プロトコルに従って時分割で行う時分割多重伝送システムと前記信号線を共用する通信システムであって、
前記信号線に並列接続された複数の通信装置を有し、当該通信装置は、前記時分割多重伝送システムの親機と子機の間で伝送される第１プロトコルの伝送信号を受信する伝送信号受信手段と、他の通信装置に伝送すべきデータを含んだパケットを第１プロトコルと異なる第２プロトコルに従って前記伝送信号に重畳して送信する送信手段と、他の通信装置が送信した第２プロトコルのパケットを前記信号線から受信する受信手段と、伝送信号受信手段で受信した前記伝送信号から第１プロトコルのデータ伝送状況を解析する第１プロトコル解析手段と、前記第１プロトコル解析手段で解析された第１プロトコルのデータ伝送状況が前記第２プロトコルのパケットの伝送に適した状況であるか否かを判定するとともに伝送に適していると判定した場合に前記送信手段から当該パケットを送信させる制御手段とを備えたことを特徴とする通信システム。
【請求項２】
前記制御手段は、パルス列からなる前記伝送信号の立ち上がり又は立ち下がりから所定の待機時間だけ待機した後に前記送信手段から第２プロトコルのパケットを送信させることを特徴とする請求項１記載の通信システム。
【請求項３】
前記送信手段は、キャリアをデータで変調してなる前記パケットを前記伝送信号に重畳して送信し、前記受信手段は、前記伝送信号に重畳された前記パケットを受信するとともに当該パケットから前記データを復調し且つ前記伝送信号に前記キャリアが重畳されているか否かを検出し、前記送信手段は、前記受信手段で前記キャリアが検出されなければ直ちに前記パケットを送信するとともに前記キャリアが検出されれば所定時間経過した後に前記パケットを送信し、前記制御手段は、第２プロトコルのパケットによるデータの伝送途中においては前記待機時間に前記送信手段より前記キャリアを前記伝送信号に重畳させることを特徴とする請求項２記載の通信システム。
【請求項４】
前記制御手段は、第２プロトコルによるデータの伝送開始前においては前記待機時間よりも長い第２待機時間が経過してから前記送信手段より第２プロトコルのパケットを送信させることを特徴とする請求項３記載の通信システム。
【請求項５】
前記制御手段は、第１プロトコルのデータ伝送が第２プロトコルのパケットの伝送に適した状況である期間よりも当該パケットの長さが長い場合に前記データ伝送がパケットの伝送に適さない状況となるタイミングと同期して当該パケットに無効なデータを含めて前記送信手段から送信させることを特徴とする請求項１〜４の何れか１項に記載の通信システム。
【請求項６】
前記制御手段は、一つのメッセージを分割した複数のデータをそれぞれ連続した複数のパケットで前記送信手段から送信させる際、第１プロトコルのデータ伝送が第２プロトコルのパケットの伝送に適さない状況となる期間が前記複数のパケットの間に存在し且つ当該期間を含むパケットの送信間隔が所定のタイムアウト時間よりも長くなると予測した場合に前記状況となる期間の開始前に最後に送信する第２プロトコルのパケットの送信タイミングを遅らせることを特徴とする請求項１記載の通信システム。
【請求項７】
第１プロトコルには子機から親機へのデータ伝送の開始を要求するための割込信号を伝送する割込要求期間と、割込要求をした子機が優先的にデータ伝送を行う優先期間とが規定されており、
前記通信装置は、前記信号線を介して前記割込信号を親機に伝送する割込信号伝送手段を備え、前記制御手段は、前記割込信号伝送手段に割込信号を伝送させた後、第２プロトコルのパケットを前記優先期間に前記送信手段から送信させることを特徴とする請求項１〜６の何れか１項に記載の通信システム。
【請求項８】
第１プロトコルには親機から子機に対してデータ伝送を要求するためのデータ伝送要求コマンドを伝送するコマンド伝送期間と、前記コマンドに応じて要求先の子機がデータ伝送を行うデータ伝送期間とが規定されており、
前記制御手段は、前記第１プロトコル解析手段の解析結果から前記コマンド伝送期間にデータ伝送要求コマンドが伝送されていないと判断した場合に第２プロトコルのパケットを前記データ伝送期間に前記送信手段から送信させることを特徴とする請求項１〜６の何れか１項に記載の通信システム。
【請求項９】
前記通信装置は、前記第１プロトコルの伝送信号が所定時間以上受信されなかった場合に第２プロトコル専用モードに設定するモード設定部を備え、
前記制御手段は、前記モード設定部によって第２プロトコル専用モードに設定されているときは前記第２プロトコルのパケット伝送に適した状況であるか否かを判定することなく前記送信手段から当該パケットを送信させることを特徴とする請求項１〜８の何れか１項に記載の通信システム。
【請求項１０】
親機に対して１乃至複数の子機が２線式の信号線によって並列接続され、親機から子機へのデータ伝送と子機から親機へのデータ伝送を第１プロトコルに従って時分割で行う時分割多重伝送システムと前記信号線を共用する通信方法であって、
前記信号線に並列接続された複数の通信装置において、前記時分割多重伝送システムの親機と子機の間で伝送される第１プロトコルの伝送信号を受信し、受信した前記伝送信号から第１プロトコルのデータ伝送状況を解析し、解析された第１プロトコルのデータ伝送状況が前記第２プロトコルのパケットの伝送に適した状況であるか否かを判定するとともに伝送に適していると判定した場合に、他の通信装置に伝送すべきデータを含んだパケットを第１プロトコルと異なる第２プロトコルに従って前記伝送信号に重畳して送信することを特徴とする通信方法。
【発明の詳細な説明】
【技術分野】
【０００１】
本発明は、通信システム及び通信方法に関し、特に既存の時分割多重伝送システムとの間で伝送路たる信号線を共用した通信システム及び通信方法に関するものである。
【背景技術】
【０００２】
従来より、親機に対して１乃至複数の子機が２線式の信号線によって並列接続された時分割多重伝送システムが提供されている（例えば、日本国特許公開公報特開２００５−７３０７５号参照）。この時分割多重伝送システムは、親機から子機へのデータ伝送と子機から親機へのデータ伝送とを時分割で行うものである。【０００３】
かかる時分割多重伝送システムとして、例えば、図１１に示すような遠隔監視制御システムが提供されている。この遠隔監視制御システムは、親機たる伝送ユニット２１に、２線式の信号線Ｌｓを介して、子機たる入力端末器２２と制御端末器２３とを接続したものである。上記遠隔監視制御システムは、入力端末器２２に付設したスイッチやセンサなどからの監視入力に応じて、制御端末器２３に付設した負荷Ｌを制御する。入力端末器２２および制御端末器２３にはそれぞれアドレスが設定されている。【０００４】
伝送ユニット２１は、常時は伝送信号Ｖｓに含まれるアドレスデータをサイクリックに変化させて入力端末器２２および制御端末器２３を順次アクセスする常時ポーリングを行う。一方、入力端末器２２に監視入力が入力されると、監視入力に対応した監視データが伝送ユニット２１に伝送される。伝送ユニット２１では監視データを受け取ると、アドレスによって入力端末器２２との対応関係が設定された制御端末器２３に対して、監視データに対応した制御データを伝送し、制御端末器２３を介して負荷Ｌを制御する。入力端末器２２に監視入力を与える手段としては、スイッチだけではなく、スイッチと等価に扱うことができるセンサであってもよいが、以下ではスイッチの操作によって入力端末器２２に監視入力が与えられるものとして説明する。すなわち、監視入力がスイッチの操作に呼応して発生するから、監視入力を操作入力と呼ぶことにする。【０００５】
ところで、上述のような時分割多重伝送システムでは、ポーリング・セレクティング方式のプロトコル（以下、第１プロトコルと呼ぶ。）に従い、親機（伝送ユニット２１）を介して子機（入力端末器２２と制御端末器２３）同士が通信を行っている。そのために通信速度が比較的に低速であり、例えば、電力量の計測値や通話用の音声のように監視データや制御データに比べて遙かに通信量が多くなるデータの伝送には不向きである。【０００６】
そこで、伝送信号Ｖｓに音声信号を変調して重畳することにより、時分割多重伝送システムと信号線Ｌｓを共用しながら高速通信を行う通信システム及び通信方法が提案されている（例えば、日本国特許公開公報特開平８−２７４７４２号参照）。なお、日本国特許公開公報特開平８−２７４７４２号に記載されている従来例では、伝送信号Ｖｓの立ち上がり時及び立ち下がり時に発生するノイズ（高調波ノイズ）の影響を避けるために、キャリアであるパルス列がハイレベル並びにローレベルに安定している期間にのみ音声信号を重畳するようにしている。【０００７】
しかしながら、日本国特許公開公報特開平８−２７４７４２号に記載されている従来例のように、時分割多重伝送システムにおけるキャリア（パルス列）がハイレベル並びにローレベルに安定している期間を高速通信の通信期間とした場合、伝送信号Ｖｓの状態（第１プロトコルの伝送状況）によっては、通信期間が非常に短いために、高速通信の信号を伝送するのに適さないことがある。そして、このように信号伝送に適さない期間でデータ伝送を行うと、キャリアの立ち上がり時や立ち下がり時に発生するノイズの影響を受け易くなって、データ伝送の信頼性が低下してしまう虞がある。
【発明の開示】
【０００８】
本発明は上記事情に鑑みて為されたものであり、その目的は、時分割多重伝送システムと信号線を共用しつつデータ伝送の信頼性を向上した通信システム及び通信方法を提供することにある。
【０００９】
本発明に係る通信システムは、上記目的を達成するために、時分割多重伝送システムと信号線を共用する通信システムである。時分割多重伝送システムは、親機に対して１乃至複数の子機が２線式の信号線によって並列接続され、親機から子機へのデータ伝送と子機から親機へのデータ伝送を第１プロトコルに従って時分割で行うものである。
【００１０】
上記通信システムは、上記信号線に並列接続された複数の通信装置を有する。上記通信装置は、上記時分割多重伝送システムの親機と子機の間で伝送される第１プロトコルの伝送信号を受信する伝送信号受信手段と、他の通信装置に伝送すべきデータを含んだパケットを第１プロトコルと異なる第２プロトコルに従って上記伝送信号に重畳して送信する送信手段と、他の通信装置が送信した第２プロトコルのパケットを上記信号線から受信する受信手段と、上記送信手段から上記パケットを送信させる制御手段とを備える。また、通信装置は、伝送信号受信手段で受信した上記伝送信号から第１プロトコルのデータ伝送状況を解析する第１プロトコル解析手段を備える。
【００１１】
上記通信装置は、上記第１プロトコル解析手段で解析された第１プロトコルのデータ伝送状況が上記第２プロトコルのパケットの伝送に適した状況であるか否かを判定するとともに伝送に適していると判定した場合に上記送信手段から上記パケットを送信させる。
【００１２】
この構成によれば、時分割多重伝送システムの親機と子機の間で伝送される第１プロトコルの伝送信号を受信手段で受信し、受信した上記伝送信号から第１プロトコルのデータ伝送状況を第１プロトコル解析手段で解析したときに、解析された第１プロトコルのデータ伝送状況が上記第２プロトコルのパケットの伝送に適した状況であるか否かを判定するとともに伝送に適していると判定した場合に、他の通信装置に伝送すべきデータを含んだパケットを、第１プロトコルと異なる第２プロトコルに従って上記伝送信号に重畳して送信手段から送信するので、単純に波形だけを判断して伝送信号に信号を重畳する従来例に比べて、伝送信号の状態変化によって発生するノイズの影響や、信号の電圧反転による過渡応答の影響を抑えながら相対的に多くのデータを伝送することができる。その結果、時分割多重伝送システムと信号線を共用しつつデータ伝送の信頼性を向上した通信システムを提供することができる。
【００１３】
より好ましいのは、上記制御手段が、パルス列からなる上記伝送信号の立ち上がり又は立ち下がりから所定の待機時間だけ待機した後に上記送信手段から第２プロトコルのパケットを送信させることである。この構成によれば、伝送信号の立ち上がり及び立ち下がり時に発生するノイズの影響を受けにくくなって、データ伝送の信頼性がさらに向上する。
【００１４】
さらに好ましいのは、上記送信手段が、キャリアをデータで変調してなる上記パケットを上記伝送信号に重畳して送信し、上記受信手段が、上記伝送信号に重畳された上記パケットを受信するとともに、上記パケットから上記データを復調し、且つ上記伝送信号に上記キャリアが重畳されているか否かを検出することである。上記送信手段は、上記受信手段で上記キャリアが検出されなければ直ちに上記パケットを送信するとともに、上記キャリアが検出されれば所定時間経過した後に上記パケットを送信する。上記制御手段は、第２プロトコルのパケットによるデータの伝送途中においては、上記待機時間に上記送信手段より上記キャリアを上記伝送信号に重畳させる。この構成によれば、通信途中の通信装置が待機時間にキャリアを伝送信号に重畳させるので、新たに通信を開始しようとした他の通信装置はキャリアが伝送信号に重畳されていることから通信を開始しないために通信の衝突を回避することができる。
【００１５】
さらに好ましいのは、第２プロトコルによるデータの伝送開始前において、上記制御手段が、上記待機時間よりも長い第２待機時間が経過してから上記送信手段より第２プロトコルのパケットを送信させることである。この構成によれば、通信途中である他の通信装置が、伝送信号に重畳した第２のキャリアを検出できない場合であっても、第２待機時間が経過するまでは新たな通信を開始しないために通信の衝突を確実に回避することができる。
【００１６】
さらに好ましいのは、第１プロトコルのデータ伝送が第２プロトコルのパケットの伝送に適した状況である期間よりも上記パケットの長さが長い場合に、上記制御手段が、上記データ伝送がパケットの伝送に適さない状況となるタイミングと同期して、上記パケットに無効なデータを含めて上記送信手段から送信させてもよい。この構成によれば、第１プロトコルのデータ伝送がパケットの伝送に適さない状況となる期間を跨いでパケットを送信することができ、データ伝送に要するパケットの数を減らして通信効率を向上することができる。
【００１７】
また、別の形態として、上記制御手段が、一つのメッセージを分割した複数のデータをそれぞれ連続した複数のパケットで上記送信手段から送信させる際、第１プロトコルのデータ伝送が第２プロトコルのパケットの伝送に適さない状況となる期間が上記複数のパケットの間に存在し、且つ上記期間を含むパケットの送信間隔が所定のタイムアウト時間よりも長くなると予測した場合に、上記状況となる期間の開始前に最後に送信する第２プロトコルのパケットの送信タイミングを遅らせてもよい。この構成によれば、受信側の通信装置において、パケットの受信間隔がタイムアウト時間を超える確率を減らして、データの伝送効率が向上できる。
【００１８】
さらに好ましいのは、第１プロトコルには、子機から親機へのデータ伝送の開始を要求するための割込信号を伝送する割込要求期間と、割込要求をした子機が優先的にデータ伝送を行う優先期間とが規定されていることである。上記通信装置は、上記信号線を介して上記割込信号を親機に伝送する割込信号伝送手段を備える。上記制御手段は、上記割込信号伝送手段に割込信号を伝送させた後、第２プロトコルのパケットを上記優先期間に上記送信手段から送信させる。この構成によれば、第１プロトコルに規定されている割込信号を割込信号伝送手段から信号線を介して親機に伝送し、割込信号を伝送させた後、割込信号に対応した第１プロトコルの優先期間に第２プロトコルのパケットを送信するので、第２プロトコルのパケットを確実且つ速やかに伝送することができる。
【００１９】
また、別の形態として、第１プロトコルには、親機から子機に対してデータ伝送を要求するためのデータ伝送要求コマンドを伝送するコマンド伝送期間と、上記コマンドに応じて要求先の子機がデータ伝送を行うデータ伝送期間とが規定されていてもよい。上記制御手段は、上記第１プロトコル解析手段の解析結果から上記コマンド伝送期間にデータ伝送要求コマンドが伝送されていないと判断した場合に、第２プロトコルのパケットを上記データ伝送期間に上記送信手段から送信させる。この構成によれば、第２プロトコルのパケットが伝送可能な期間を延長することができる。
【００２０】
さらに好ましいのは、上記通信装置が、上記第１プロトコルの伝送信号が所定時間以上受信されなかった場合に第２プロトコル専用モードに設定するモード設定部を備えることである。上記制御手段は、上記モード設定部によって第２プロトコル専用モードに設定されているときは、上記第２プロトコルのパケット伝送に適した状況であるか否かを判定することなく、上記送信手段から上記パケットを送信させる。この構成によれば、通信装置を置き換えること無しに第２プロトコルのみを通信する通信システムに自動的に移行することができる。
【００２１】
本発明に係る通信方法は、上記目的を達成するために、時分割多重伝送システムと信号線を共用する通信方法である。上記時分割多重伝送システムは、親機に対して１乃至複数の子機が２線式の信号線によって並列接続され、親機から子機へのデータ伝送と子機から親機へのデータ伝送を第１プロトコルに従って時分割で行う。
【００２２】
上記通信方法は、上記信号線に並列接続された複数の通信装置において、上記時分割多重伝送システムの親機と子機の間で伝送される第１プロトコルの伝送信号を受信し、受信した上記伝送信号から第１プロトコルのデータ伝送状況を解析する。さらに、上記通信方法は、解析された第１プロトコルのデータ伝送状況が上記第２プロトコルのパケットの伝送に適した状況であるか否かを判定するとともに伝送に適していると判定した場合に、他の通信装置に伝送すべきデータを含んだパケットを第１プロトコルと異なる第２プロトコルに従って上記伝送信号に重畳して送信する。
【００２３】
この方法によれば、時分割多重伝送システムの親機と子機の間で伝送される第１プロトコルの伝送信号を受信手段で受信し、第１プロトコル解析手段において受信した上記伝送信号から第１プロトコルのデータ伝送状況を解析したときに、解析された第１プロトコルのデータ伝送状況が上記第２プロトコルのパケットの伝送に適した状況であるか否かを判定するとともに伝送に適していると判定した場合に、他の通信装置に伝送すべきデータを含んだパケットを、第１プロトコルと異なる第２プロトコルに従って上記伝送信号に重畳して送信手段から送信するので、単純に波形だけを判断して伝送信号に信号を重畳する従来例に比べて、伝送信号の状態変化によって発生するノイズの影響を抑えながら相対的に多くのデータを伝送することができる。その結果、時分割多重伝送システムと信号線を共用しつつデータ伝送の信頼性を向上した通信方法を提供することができる。
【図面の簡単な説明】
【００２４】
【図１】本発明の実施形態１を示し、（ａ）は全体のシステム構成図、（ｂ）は通信装置のブロック図である。
【図２】同上における通信装置の動作説明用のフローチャートである。
【図３】同上の動作説明用のタイムチャートである。
【図４】実施形態２における通信装置のブロック図である。
【図５】同上の動作説明用のタイムチャートである。
【図６】同上の動作説明用のタイムチャートである。
【図７】同上における通信装置の動作説明用のフローチャートである。
【図８】実施形態３における通信装置のブロック図である。
【図９】実施形態４における通信装置のブロック図である。
【図１０】同上の動作説明用のタイムチャートである。
【図１１】従来の時分割多重伝送システムのシステム構成図である。
【図１２】時分割多重伝送システムにおける伝送信号の信号フォーマットである。
【発明を実施するための最良の形態】
【００２５】
以下、従来例で説明した時分割多重伝送システム（遠隔監視制御システム）と信号線Ｌｓを共用する通信システムに本発明の技術思想を適用した実施形態について説明する。但し、本発明に係る通信システムが信号線を共用可能である時分割多重伝送システムは実施形態のものに限定されるものではない。【００２６】
（実施形態１）
図１（ａ）に本実施形態の通信システム並びに信号線Ｌｓを共用する時分割多重伝送システムのシステム構成を示す。時分割多重伝送システムでは、親機（伝送ユニット）２１に対して複数の子機（入力端末器２２並びに制御端末器２３）が２線式の信号線Ｌｓによって並列接続されてなり、図１２（ａ）（ｂ）に示す伝送信号Ｖｓを親機２１と子機２２，２３の間で時分割多重伝送している。【００２７】
親機（伝送ユニット）２１は、信号線Ｌｓに対して、図１２（ａ）（ｂ）のような形式の伝送信号Ｖｓを送出する。すなわち、伝送信号Ｖｓは、複極（±２４Ｖ）の時分割多重信号である。この伝送信号Ｖｓは、信号送出開始を示すスタートパルスＳＹと、伝送信号Ｖｓのモードを示すモードデータＭＤと、入力端末器２２や制御端末器２３を各別に呼び出すためのアドレスデータＡＤと、負荷を制御するための制御データＣＤと、伝送エラーを検出するためのチェックサムデータＣＳと、入力端末器２２や制御端末器２３からの返送信号を受信するタイムスロットである信号返送期間ＷＴとからなる。本実施形態の時分割多重伝送システムでは、パルス列からなるキャリアがパルス幅変調された伝送信号Ｖｓによって、データが伝送されるようになっている。【００２８】
各入力端末器２２および各制御端末器２３では、信号線Ｌｓを介して受信した伝送信号Ｖｓのアドレスデータがそれぞれに設定されているアドレスデータ（個別のアドレスデータ）に一致すると、伝送信号Ｖｓから制御データを取り込むとともに、伝送信号Ｖｓの信号返送期間ＷＴに同期して監視データを電流モードの信号（信号線Ｌｓを適当な低インピーダンスを介して短絡することにより送出される信号）として返送する。また、入力端末器２２および制御端末器２３の内部回路の電源は、信号線Ｌｓを介して伝送される伝送信号Ｖｓを整流し安定化することによって供給される。【００２９】
親機２１は、常時は伝送信号Ｖｓに含まれるアドレスデータをサイクリックに変化させて入力端末器２２および制御端末器２３を順次アクセスする常時ポーリングを行う。常時ポーリングの際には、伝送信号Ｖｓに含まれるアドレスデータが一致した入力端末器２２または制御端末器２３では、伝送信号Ｖｓに制御データが含まれていれば制御データを取り込んで動作し、入力端末器２２または制御端末器２３の動作状態を監視データとして親機２１に返送する。【００３０】
一方、親機２１は、いずれかの入力端末器２２においてスイッチからの操作入力に対応して発生した図１２（ｃ）のような割込信号Ｓｉを受信したときに、割込信号Ｓｉを発生した入力端末器２２を検出した後、その入力端末器２２にアクセスして操作入力に呼応した監視データを返送させる割込ポーリングも行う。なお、割込信号Ｓｉは、スタートパルスＳＹの期間のうち一部の期間（図１２ではスタートパルスＳＹの前半期間）に発生する。【００３１】
すなわち、親機２１では、常時は、アドレスデータをサイクリックに変更した伝送信号Ｖｓを信号線Ｌｓに送出する常時ポーリングを行う。この親機２１は、入力端末器２２から発生した割込信号Ｓｉを伝送信号ＶｓのスタートパルスＳＹに同期して検出すると、モードデータＭＤを割込ポーリングモードとした伝送信号Ｖｓを伝送ユニット２１から送出する。割込信号Ｓｉを発生した入力端末器２２は、割込ポーリングモードの伝送信号Ｖｓにおけるアドレスデータの上位ビットが一致していると、入力端末器２２に設定されているアドレスデータの下位ビットを返信データとして上記伝送信号Ｖｓの信号返送期間ＷＴに同期して返送する。このようにして伝送ユニット２１では、割込信号Ｓｉを発生した入力端末器２２のアドレスを獲得する。【００３２】
このようにして、割込信号Ｓｉを発生した入力端末器２２のアドレスを伝送ユニット２１が獲得すると、親機２１では、監視データの返送を要求する伝送信号Ｖｓを入力端末器２２に対して送出する。入力端末器２２は、操作入力に対応した監視データを親機２１に返送する。親機２１は監視データを受け取ると、該当する入力端末器２２の操作入力をクリアするように指示を与える。入力端末器２２では操作入力のクリアを返送する。つまり、親機２１では、割込信号Ｓｉを検出する伝送信号Ｖｓを含めて４個の伝送信号Ｖｓにより操作入力を受け取ることになる。【００３３】
監視データを受け取った親機２１は、アドレスの対応関係によって入力端末器２２に予め対応付けられている制御端末器２３に対する制御データを生成し、この制御データを含む伝送信号Ｖｓを信号線Ｌｓに送出して、制御端末器２３に付設した負荷Ｌを制御する。【００３４】
本実施形態の通信システムは、互いに信号線Ｌｓに並列接続された複数（図示例では２つ）の通信装置１，１と、各通信装置１，１に対して送信データを出力するとともに通信装置１，１から受信データを入力する端末装置２，２とで構成される。すなわち、信号線Ｌｓを介した通信（データ伝送）を行うのは通信装置１，１である。そして、送信するデータを生成したり、受信したデータを処理したりするのは端末装置２，２である。但し、このような端末装置２，２は一般的なコンピュータ装置等で実現可能であるから、詳細な構成や動作についての説明は省略する。【００３５】
通信装置１は、図１（ｂ）に示すように時分割多重伝送システムの親機２１と子機２２，２３の間で伝送される第１プロトコルの伝送信号Ｖｓを受信する伝送信号受信部１０と、伝送信号受信部１０で受信した伝送信号Ｖｓから第１プロトコルのデータ伝送状況（以下、「ステート」と呼ぶ。）を解析する第１プロトコル解析部１１とを備えている。また、通信装置１は、他の通信装置１に伝送すべきデータを含んだパケットを第１プロトコルと異なる第２プロトコルに従って伝送信号Ｖｓに重畳して送信する第２プロトコル方式信号送信部１２と、他の通信装置１が送信した第２プロトコルのパケットを信号線Ｌｓから受信する第２プロトコル方式信号受信部１３とを備えている。さらに、通信装置１は、第１プロトコル解析部１１で解析されたステートが第２プロトコルのパケットの伝送に適した状況であるか否かを判定するとともに伝送に適していると判定した場合に第２プロトコル方式信号送信部１２から上記パケットを送信させる伝送制御部１４を備えている。なお、各部への電源供給は、時分割多重伝送システムの子機（入力端末器２２並びに制御端末器２３）と同様に親機（伝送ユニット）２１から信号線Ｌｓを介して伝送される伝送信号Ｖｓを整流し安定化することによって供給する方法（以下、「集中給電方法」と呼ぶ。）と、商用電源を整流し安定化することによって供給する方法（以下、「ローカル給電方法」と呼ぶ。）との何れかの方法によって行われる。【００３６】
上述したように、時分割多重伝送システムで使用する第１プロトコルにおいては、パルス列からなるキャリアをパルス幅変調した伝送信号Ｖｓを伝送している。かかる伝送信号Ｖｓに第２プロトコルのパケットを重畳するに当たっては、伝送信号Ｖｓがハイレベルあるいはローレベルに安定している期間に重畳することが望ましい。伝送信号Ｖｓは図１２（ａ）（ｂ）に示すような信号フォーマットを有している。スタートパルスＳＹの期間や信号返送期間ＷＴは、伝送信号Ｖｓがハイレベルあるいはローレベルに安定している時間が相対的に長いから、パケットを重畳して伝送するのに適した期間（以下、通信適合期間と呼ぶ。）と考えられる。しかしながら、モードデータＭＤからチェックサムデータＣＳまでの期間は、伝送信号Ｖｓがハイレベルあるいはローレベルに安定している時間が相対的にかなり短くなってしまうから、パケットを重畳して伝送するのに適さない期間（以下、通信不適合期間と呼ぶ。）と考えられる。また、パルス列の立ち上がり及び立ち下がりの期間も伝送信号Ｖｓに高調波ノイズが重畳するために通信不適合期間とみなすことができる。【００３７】
そこで本実施形態の通信装置１では、伝送信号受信部１０で受信した伝送信号Ｖｓのステート（スタートパルスＳＹ、モードデータＭＤ、アドレスデータＡＤ、制御データＣＤ、チェックサムデータＣＳの各期間並びに信号返送期間ＷＴ）を第１プロトコル解析部１１において解析する。より具体的に説明すると、第１プロトコル解析部１１は、所定時間以下のパルス幅を有するパルスをカウントする。その後、第１プロトコル解析部１１は、上記所定時間以上、伝送信号Ｖｓのレベルが変化しない期間を検出すると、上記レベルが変化しない期間から信号返送期間ＷＴが開始すると認識する。例えば、モードデータＭＤやアドレスデータＡＤ、制御データＣＤ、チェックサムデータＣＳにおいて、「０」を示すパルスのパルス幅が１２５マイクロ秒、「１」を示すパルスのパルス幅が２５０マイクロ秒である場合、上記所定時間を上記パルス幅より大きい３５０マイクロ秒とすると、第１プロトコル解析部１１は、３５０マイクロ秒以下のパルス幅を有するパルスを２８個以上連続してカウントした後に、伝送信号Ｖｓのレベルが変化しない期間を３５０マイクロ秒以上検出すると、信号返送期間ＷＴと認識する。これにより、第１のプロトコル解析部１１は、伝送信号Ｖｓのステートを解析することができる。【００３８】
伝送制御部１４は、第１プロトコル解析部１１の解析結果（伝送信号Ｖｓのステート）に基づいて通信適合期間と通信不適合期間の判別を行う。つまり、伝送制御部１４は、伝送信号ＶｓのスタートパルスＳＹの期間や信号返送期間ＷＴを通信適合期間と判別する。また、伝送制御部１４は、ある伝送信号Ｖｓと次の伝送信号Ｖｓとの間である休止期間も通信適合期間と判別する。伝送制御部１４は、通信適合期間と判別したときに、第２プロトコル方式信号送信部１２より第２プロトコルのパケットを信号線Ｌｓに送信させるようにしている。【００３９】
なお、伝送信号Ｖｓによっては、スタートパルスＳＹと同じようなパルス配列であるエンドパルスを信号返送期間ＷＴの次に有するものがある。このような伝送信号Ｖｓの場合、伝送制御部１４は、エンドパルスの期間も通信適合期間と判別してもよい。一方、伝送制御部１４は、スタートパルスＳＹの期間や信号返送期間ＷＴ、エンドパルスの期間であっても、割込信号Ｓｉや返信データが発生する可能性が高い期間（例えば図１２のスタートパルスＳＹの前半期間など）を通信適合期間ではなく通信不適合期間と判別してもよい。【００４０】
次に、図２のフローチャートを参照しながら、通信装置１の動作を詳細に説明する。【００４１】
まず、電源が投入されて通信装置１が起動すると（ステップＳ１）、伝送信号受信部１０が信号線Ｌｓから伝送信号Ｖｓを受信する（ステップＳ２）。伝送制御部１４は端末装置２から入力される送信データの有無を判断し（ステップＳ３）、送信データが無ければ伝送信号受信部１０を受信状態としたまま待機状態とする（ステップＳ４）。一方、送信データが有れば、伝送信号受信部１０が受信した伝送信号Ｖｓを第１プロトコル解析部１１で解析し、伝送制御部１４がその解析結果に基づいて通信適合期間と通信不適合期間の判別を行う（ステップＳ５）。伝送制御部１４は通信不適合期間と判別すれば通信適合期間となるまで待機し（ステップＳ６）、通信適合期間と判別すれば第２プロトコル方式信号受信部１３に対して、第２プロトコルのパケット伝送で使用するキャリア（第２のキャリア）の有無を検出させる（ステップＳ７）。第２プロトコル方式信号受信部１３が第２のキャリアを検出すれば、伝送制御部１４は所定時間待機した後（ステップＳ８）、第２プロトコルのパケットを第２プロトコル方式信号送信部１２から信号線Ｌｓに送信させる（ステップＳ９）。また、第２プロトコル方式信号受信部１３が第２のキャリアを検出しなければ、伝送制御部１４は所定時間待機せずに第２プロトコルのパケットを第２プロトコル方式信号送信部１２から信号線Ｌｓに送信させる（ステップＳ８，Ｓ９）。但し、伝送信号Ｖｓのステートが変化した直後（伝送信号Ｖｓの立ち上がり及び立ち下がりの直後）には高調波ノイズが重畳している可能性が高いので、第２のキャリアが検出されなかった場合であっても上記高調波ノイズが減衰するのに充分な時間（以下、待機時間という。）が経過してから第２プロトコルのパケットを送信する。【００４２】
ここで、送信データのデータ量が多い場合、一度の通信適合期間内で送信しきれないことがある。そのため、未送信のデータがあるか否かを伝送制御部１４で判断し（ステップＳ１０）、未送信のデータが残っていなければ第２プロトコルのパケット送信を完了し（ステップＳ１１）、新たな送信データが端末装置２から入力されるまで待機状態とする（ステップＳ４）。一方、未送信のデータが残っている場合、通信不適合期間あるいはステートが変化する期間（伝送信号Ｖｓの立ち上がり及び立ち下がりの期間）を跨いで次回の通信適合期間に送信するのであるが、次回の通信適合期間に他の通信装置１が第２プロトコルのパケットを送信してしまうとパケット同士が衝突して正常に送信できなくなる可能性がある。そこで、伝送制御部１４では未送信のデータが残っていた場合、第１プロトコル解析部１１の解析結果から次回の通信適合期間と判別したら、始めに第２のキャリアを第２プロトコル方式信号送信部１２から信号線Ｌｓに送出させた後（ステップＳ１２）、第２プロトコルのパケットを第２プロトコル方式信号送信部１２から信号線Ｌｓに送信させる（ステップＳ９）。このように未送信のデータを送信するためのパケットの前に第２のキャリアを信号線Ｌｓに送出すれば、パケット送信を開始しようとしている他の通信装置１では通信適合期間の開始直後に第２のキャリアを検出してパケット送信を中止することになるから、衝突によってパケットが送信できなくなるのを防ぐことができる。【００４３】
ここで、伝送信号Ｖｓの立ち上がり及び立ち下がりの直後に重畳した高調波ノイズが待機時間ｔ１を過ぎても充分に減衰しなかった場合、上述のように未送信のデータを続けて送信するために待機時間ｔ１に送出された第２のキャリアを他の通信装置１が検出できない虞がある。そこで、未送信データの送信途中である通信装置１では、待機時間ｔ１の経過を待ってから第２プロトコルのパケットを送信する。一方、第２プロトコルのパケット送信を開始する通信装置１では、図３に示すように待機時間ｔ１よりも長い時間（ｔ１＋ｔ２）が経過するまで第２プロトコルのパケットを送信しないようにする。このようにすれば、前者の通信装置１が送信したパケットの第２のキャリアを後者の通信装置１が検出して自らのパケット送信を待機して衝突を回避することができる。【００４４】
ところで、上述のように伝送信号Ｖｓの通信適合期間に合わせて送信データを分割し複数のパケットで送信する代わりに、以下のような方法で送信しても構わない。例えば、本実施形態で例示する時分割多重伝送システムにおいては、伝送信号Ｖｓをサイクリックに常時伝送しているため、同期信号Ｖｓの先頭における通信適合期間（スタートパルスＳＹの期間）と同期信号ＳＹの末尾における通信適合期間（信号返送期間ＷＴ）とがステートの変化（伝送信号Ｖｓの立ち上がり及び立ち下がり）を挟んで連続することになり、このようにステート変化を挟んで連続する複数の通信適合期間を跨いで第２プロトコルのパケットを送信すれば、送信データの分割数を減らして効率よく伝送することができる。但し、伝送信号Ｖｓのステートが変化する期間では、伝送信号Ｖｓに重畳する高調波ノイズの影響で第２プロトコルのパケットが正しく伝送されない可能性が高い。そのため、伝送信号Ｖｓのステートが変化するタイミングに同期した期間では第２プロトコルのパケットに無効なデータ（ダミーのデータ）を含めて送信するようにすれば、一つのパケットで一括して送信できるデータ（有効なデータ）の量を増やすことができ、しかも、送信データを分割して多数のパケットで送信する場合と比較して、データ伝送に要するパケットの数を減らして通信効率を向上することができる。つまり、第２プロトコルのパケットに含まれるヘッダ及びフッタの分だけ通信効率が低下するから、パケット数を減らすことでヘッダ及びフッタの分だけ通信効率が向上するのである。【００４５】
（実施形態２）
本実施形態における通信装置１のブロック図を図４に示す。但し、基本的な構成は実施形態１における通信装置１と共通であるから、共通の構成要素には同一の符号を付して適宜説明を省略する。【００４６】
本実施形態の通信システムにおいては、意味のあるひとまとまりのデータ（以下、これをメッセージと呼ぶ。）を複数に分割した送信データを端末装置２から通信装置１に送出し、受け取った送信データを通信装置１において順番にパケットに格納して送信し、受信側の端末装置２では、パケットを受信した通信装置１から受信データを順次受け取って元のメッセージを再構成している。また、この通信システムにおいては、端末装置２から通信装置１に入力する送信データ並びに通信装置１から端末装置２に出力する受信データの時間間隔が所定のタイムアウト時間を超えたときに、端末装置２がメッセージの終わりと判断している。例えば、送信側の端末装置２において１つのメッセージを６つのデータＤ１〜Ｄ６に分割して通信装置１に送出すると、図５に示すように端末装置２からはそれぞれのデータＤ１，…が非同期で送出され、データ送出の時間間隔Ｔｎ（ｎ＝１，２，…，６）が規定のタイムアウト時間Ｔoutを超えるとメッセージの終わりとする。ところが、実施形態１で説明したように通信不適合期間を跨いで複数の通信適合期間で第２プロトコルのパケットを伝送する場合、通信適合期間から通信不適合期間に変化する前に最後に送信されたパケットで受け取る受信データと、再度通信適合期間になって最初に送信されるパケットで受け取る受信データとの時間間隔がタイムアウト時間を超えてしまい、受信側の端末装置２ではタイムアウト時間を超えたことでメッセージの終わりを誤判断してしまう虞がある。そして、このようにメッセージの終わりが誤判断されると、途中までしか受信していないメッセージが不完全なメッセージであるから受信側の端末装置２で破棄され、送信側の端末装置２に対してメッセージの再送信（リトライ）の要求が行われて通信効率が低下してしまうことになる。【００４７】
そこで本実施形態では、一つのメッセージを分割したデータをそれぞれ含むパケットを、通信不適合期間を跨いで複数の通信適合期間で送信する際、上記通信不適合期間を含むパケットの送信間隔が端末装置２でメッセージの終わりと判断するタイムアウト時間よりも長くなると予測した場合、伝送制御部１４が通信不適合期間の開始前に最後に送信する第２プロトコルのパケットの送信タイミングを遅らせることで、通信不適合期間を跨いだ２つのパケットの送信間隔がタイムアウト時間を超える確率を低くしている。【００４８】
図４に示すように、通信装置１には、端末装置２におけるタイムアウト時間を取得するタイムアウト時間取得部１５が設けられている。このタイムアウト時間取得部１５は、端末装置２から送出されて第２プロトコル方式信号送信部１２に入力するデータＤｍ（ｍ＝１，２，…）の時間間隔を計測する。また、タイムアウト時間取得部１５は、上記計測値（図５におけるＴｎ）と基準値を比較するとともに計測値の方が大きければ（時間的に長ければ）、上記計測値を新たに基準値とすることで計測値の最大値を求め、その最大値を端末装置２におけるタイムアウト時間Ｔoutとして取得している。そして、タイムアウト時間取得部１５が取得したタイムアウト時間Ｔoutの情報は伝送制御部１４に伝えられる。【００４９】
また、伝送制御部１４は第１プロトコル解析部１１の解析結果から通信適合期間の始点並びに終点の時間を求める。さらに、伝送制御部１４は、図６に示すように通信適合期間の始点（通信不適合期間Ｔｘから通信適合期間に切り換わった時点）の時間を基点としたときのタイムアウト時間Ｔoutの開始時間を求めるとともに、上記タイムアウト時間Ｔoutの開始時点を終点とし且つパケットの伝送に要する時間と等しい時間を送信禁止期間Ｔｍとして導出する。そして、伝送制御部１４では送信禁止期間Ｔｍにはパケットを第２プロトコル方式信号送信部１２より送信させず、送信禁止期間Ｔｍが経過してからパケットを送信させる。つまり、上述の例では送信側の端末装置２において１つのメッセージを分割した６つのデータＤ１〜Ｄ６がそれぞれパケットＰ１〜Ｐ６に格納されて送信されるのであるが、例えば、通信不適合期間Ｔｘを跨いで３番目のパケットＰ３と４番目のパケットＰ４を送信しなければならないとしたとき、通信不適合期間Ｔｘを含む２つのパケットＰ３，Ｐ４の送信間隔がタイムアウト時間Ｔoutよりも長くなると予測される場合、伝送制御部１４は、通信不適合期間Ｔｘの開始前に最後に送信するパケットＰ３の送信タイミングをＴ２’からＴ２に遅らせることで、２つのパケットＰ３，Ｐ４の送信間隔Ｔ３をタイムアウト時間Ｔoutよりも短くするのである。【００５０】
次に、図７のフローチャートを参照しながら、通信装置１の動作を詳細に説明する。【００５１】
まず、電源が投入されて通信装置１が起動すると（ステップＳ１）、伝送信号受信部１０が信号線Ｌｓから伝送信号Ｖｓを受信する（ステップＳ２）。伝送制御部１４は端末装置２から入力される送信データの有無を判断し（ステップＳ３）、送信データが無ければ伝送信号受信部１０を受信状態としたまま待機状態とする（ステップＳ４）。一方、送信データが有れば、伝送制御部１４は送信禁止期間Ｔｍか否かを判断し（ステップＳ５）、送信禁止期間Ｔｍでなければ直ちに送信処理（ステップＳ７〜ステップＳ１４）に移行するが、送信禁止期間Ｔｍであれば送信禁止期間Ｔｍが経過するまで待機してから送信処理に移行する。なお、ステップＳ７〜ステップＳ１４の送信処理は実施形態１における図２のフローチャートの送信処理（ステップＳ５〜ステップＳ１２）と共通であるから説明は省略する。【００５２】
上述のように本実施形態によれば、受信側の通信装置１においてパケットの受信間隔がタイムアウト時間を超える確率を減らしてデータの伝送効率が向上できるという利点がある。【００５３】
（実施形態３）
本実施形態における通信装置１のブロック図を図８に示す。但し、基本的な構成は実施形態１における通信装置１と共通であるから、共通の構成要素には同一の符号を付して適宜説明を省略する。【００５４】
本実施形態では、実施形態１における伝送信号受信部１０に代えて、伝送信号送受信部１０ａを備えた点に特徴がある。伝送信号送受信部１０ａは、信号線Ｌｓから第１プロトコルの伝送信号Ｖｓを受信するだけでなく、信号線Ｌｓを適当な低インピーダンスを介して短絡することにより電流モードの割込信号Ｓｉを送出する機能を有する。【００５５】
本実施形態で例示している時分割多重伝送システムの第１プロトコルでは、伝送信号ＶｓのスタートパルスＳＹに同期して送出された割込信号Ｓｉが親機（伝送ユニット）２１で受信されると、従来技術で説明したようにモードデータＭＤを割込ポーリングモードとした伝送信号Ｖｓが親機２１から送出され、割込信号Ｓｉを発生した子機２２に対して上記伝送信号Ｖｓの信号返送期間ＷＴに同期して上記子機２２のアドレスデータを返信データとして返送させることで親機２１が割込信号Ｓｉを発生した子機２２のアドレスを獲得するようになっている。【００５６】
したがって、第１プロトコル解析部１１の解析結果に基づいて伝送制御部１４が伝送信号ＶｓのスタートパルスＳＹに同期して伝送信号送受信部１０ａから信号線Ｌｓに割込信号Ｓｉを送出させれば、親機２１からはモードデータＭＤを割込ポーリングモードとした伝送信号Ｖｓが送出されるが、実際に割込信号Ｓｉを送出したのは時分割多重伝送システムの子機２２ではないから、上記伝送信号Ｖｓの信号返送期間ＷＴに子機２２からの返送信号が送信されることはなく、かかる信号返送期間ＷＴ全体を通信適合期間として確保することができる。しかも、信号返送期間ＷＴは伝送信号Ｖｓの信号フォーマットの中で相対的に長い期間を占めているから、この期間に信号を送信すればデータ長の長いパケットを途切れずに送信することができる。【００５７】
ここで、親機２１が常時行っているポーリングにおいても信号返送期間ＷＴに子機２２，２３から信号が返送されることはないから、第１プロトコル解析部１１の解析結果から常時ポーリングで有ると判断できた場合、伝送制御部１４は上記伝送信号Ｖｓの信号返送期間ＷＴでパケットを送信することができる。【００５８】
（実施形態４）
ところで、実施形態１〜３では時分割多重伝送システムと本発明に係る通信システムとで信号線Ｌｓを共用することを前提としていたが、時分割多重伝送システムを撤廃して本発明に係る通信システムのみを運用することもできる。例えば、通信装置１を用いて通信する端末装置２に時分割多重伝送システムの親機並びに子機の機能（負荷の監視・制御機能など）を持たせてもよい。但し、時分割多重伝送システムを撤廃して本発明に係る通信システムに移行する際、各通信装置１を置き換えなければならないとすると施工作業に多大な手間と費用がかかってしまう。【００５９】
そこで本実施形態では、図９に示すように、第１プロトコルの伝送信号Ｖｓが所定時間以上受信されなかった場合に第２プロトコル専用モードに設定するモード設定部１６を各通信装置１に備えている。モード設定部１６によって第２プロトコル専用モードに設定されているときは、伝送制御部１４が第２プロトコルのパケット伝送に適した状況であるか否かを判定することなく第２プロトコル方式信号送信部１２からパケットを送信させることにより、通信装置１を置き換えること無しに第２プロトコルのみを通信する通信システムに自動的に移行可能としている。但し、基本的な構成は実施形態１における通信装置１と共通であるから、共通の構成要素には同一の符号を付して適宜説明を省略する。【００６０】
モード設定部１６は、第１プロトコル解析部１１による第１プロトコルの解析結果に基づき、例えば、第１プロトコル解析部１１にて伝送信号Ｖｓのステートが検出されない状況が常時ポーリングの数周期乃至数十周期に相当する時間以上継続したときに、第２プロトコル専用モードをオンとする信号を伝送制御部１４に送信する。【００６１】
伝送制御部１４では、モード設定部１６から上記オン信号を受け取ると、第１プロトコル解析部１１で解析されたステートが第２プロトコルのパケットの伝送に適した状況であるか否かを判定することなく、第２プロトコル方式信号送信部１２より第２プロトコルのパケットを信号線Ｌｓに送信させる。但し、後述するようにモード設定部１６から第２プロトコル専用モードをオフとする信号が送信されれば、伝送制御部１４は、再度第１プロトコル解析部１１で解析されたステートが第２プロトコルのパケットの伝送に適した状況であるか否かを判定し、伝送に適していると判定した場合にだけ第２プロトコル方式信号送信部１２から第２プロトコルのパケットを送信させる。【００６２】
次に、図１０のフローチャートを参照しながら、通信装置１の動作を詳細に説明する。【００６３】
まず、電源が投入されて通信装置１が起動すると（ステップＳ１）、モード設定部１６において所定時間内に伝送信号Ｖｓを受信したか否かを判定する（ステップＳ２）。そして、所定時間内に伝送信号Ｖｓを受信したら、伝送制御部１４は端末装置２から入力される送信データの有無を判断し（ステップＳ３）、送信データが無ければ伝送信号受信部１０を受信状態としたまま待機状態とする（ステップＳ４）。一方、送信データが有れば、第１プロトコル解析部１１にて伝送信号受信部１０が受信した伝送信号Ｖｓを解析し、伝送制御部１４がその解析結果に基づいて通信適合期間と通信不適合期間の判別を行う（ステップＳ５）。伝送制御部１４は通信不適合期間と判別すれば通信適合期間となるまで待機する（ステップＳ６）。なお、ステップＳ７〜ステップＳ１１の送信処理は実施形態１における図２のフローチャートの送信処理（ステップＳ７〜ステップＳ１１）と共通であるから説明は省略する。【００６４】
一方、所定時間内に伝送信号Ｖｓを受信しなければ、第２プロトコル専用モードをオンとする信号がモード設定部１６から伝送制御部１４に送信され、伝送制御部１４が第２プロトコル専用モードに設定される（ステップＳ１３）。但し、モード設定部１６では第１プロトコル解析部１１の解析結果に基づいて引き続き伝送信号Ｖｓの受信有無を判定しており、一旦第２プロトコル専用モードをオンとする信号を送信した後に伝送信号Ｖｓを受信したと判定したら、第２プロトコル専用モードをオフとする信号を伝送制御部１４に送信して伝送制御部１４の第２プロトコル専用モードを解除し、ステップＳ４の待機状態に戻る。すなわち、時分割多重伝送システムの親機２１が故障して伝送信号Ｖｓを信号線Ｌｓに送出していなかったために第２プロトコル専用モードに設定された場合、親機２１が復旧したときに各通信装置１における伝送制御部１４の第２プロトコル専用モードを解除する必要がある。但し、このような処理が必要となるのは、各通信装置１がローカル給電方法で給電される場合に限られる。【００６５】
第２プロトコル専用モードに設定された伝送制御部１４は、端末装置２から入力される送信データの有無を判断し（ステップＳ１５）、送信データが無ければ伝送信号受信部１０を受信状態としたまま待機状態とする（ステップＳ１７）。一方、送信データが有れば、伝送制御部１４は通信適合期間か否かの判別を行うことなく、第２プロトコルのパケットを第２プロトコル方式信号送信部１２から信号線Ｌｓに送信させ（ステップＳ１６）、第２プロトコルのパケット送信を完了する（ステップＳ１８）。【００６６】
上述のように本実施形態によれば、通信装置１の伝送制御部１４がモード設定部１６によって第２プロトコル専用モードに設定されているときは第２プロトコルのパケット伝送に適した状況であるか否かを判定することなく第２プロトコル方式信号送信部１２から第２プロトコルのパケットを送信させるので、通信装置１を置き換えること無しに第２プロトコルのみを通信する通信システムに自動的に移行することができる。但し、通信装置１への電源供給が集中給電方法で行われている場合、時分割多重伝送システムの親機（伝送ユニット）２１の代わりに信号線Ｌｓを介して各通信装置１に給電する給電装置（図示せず）を通信システムに追加する必要がある。
【図１】
2008117722.tif 000003
【図２】
2008117722.tif 000004
【図３】
2008117722.tif 000005
【図４】
2008117722.tif 000006
【図５】
2008117722.tif 000007
【図６】
2008117722.tif 000008
【図７】
2008117722.tif 000009
【図８】
2008117722.tif 000010
【図９】
2008117722.tif 000011
【図１０】
2008117722.tif 000012
【図１１】
2008117722.tif 000013
【図１２】
2008117722.tif 000014
【国際調査報告】
2008117722.tif 000015
2008117722.tif 000016
2008117722.tif 000017